(57)【特許請求の範囲】
【請求項１】
マクロセルにおける受信品質と前記マクロセル内の小セルにおける受信品質との比較結果に基づいて、前記マクロセルから前記小セルへのハンドオーバーを行うイベントトリガーが発生したか否かを判定するトリガー判定部と、
前記イベントトリガーが発生した小セルを示す物理セルＩＤを含む第１の測定結果報告を、前記マクロセルの基地局へ送信する第１測定結果報告部と、
前記第１の測定結果報告の応答として前記マクロセルの基地局から送信された測定用設定情報に基づいて、前記イベントトリガーが発生した小セルを一意に識別するための固有セルＩＤの検出を行う固有セルＩＤ検出部と、
検出した前記固有セルＩＤを含む第２の測定結果報告を、前記マクロセルの基地局へ送信する第２測定結果報告部と、
前記イベントトリガーが連続して発生したときに、先にイベントトリガーが発生した第１の小セルの受信品質と、後にイベントトリガーが発生した第２の小セルの受信品質とに基づいて、前記測定結果報告の送信頻度を減らすように、前記第１および前記第２の小セルに対する前記第１および前記第２の測定結果報告の送信を制御する報告送信制御部と、を備え、
前記報告送信制御部は、
前記第２の小セルの受信品質が前記第１の小セルの受信品質より高い場合には、前記第１の小セルに対する前記第２の測定結果報告の送信をキャンセルして、前記第２の小セルに対する前記第２の測定結果報告の送信を優先する制御を行い、
前記第２の小セルの受信品質が前記第１の小セルの受信品質より低い場合には、前記第２の小セルに対する前記第１の測定結果報告の送信を遅らせて、前記第１の小セルに対する前記第２の測定結果報告と前記第２の小セルに対する前記第１の測定結果報告とをあわせて送信する制御を行うことを特徴とする端末装置。
【請求項２】
過去に検出した小セルのセル情報であって、前記小セルに対するアクセス可否に関する情報を記憶するセル情報記憶部と、
前記セル情報に基づいて、前記イベントトリガーが発生した小セルがアクセス可能であるか否かを判定する条件判定部と、
を備え、
前記報告送信制御部は、
前記第１および前記第２の小セルがアクセス可能であるか否かの判定結果に基づいて、前記第１および前記第２の小セルに対する前記第１および前記第２の測定結果報告の送信を制御する、請求項１に記載の端末装置。
【請求項３】
前記報告送信制御部は、
前記第１の小セルがアクセス可能またはアクセス可否不明であり、前記第２の小セルがアクセス可能であり、前記第２の小セルの受信品質が前記第１の小セルの受信品質より高い場合、あるいは、前記第１の小セルがアクセス不可能であり、前記第２の小セルがアクセス可能である場合には、前記第１の小セルに対する前記第２の測定結果報告の送信をキャンセルして、前記第２の小セルに対する前記第２の測定結果報告の送信を優先する制御を行い、
前記第１の小セルがアクセス可能またはアクセス可否不明であり、前記第２の小セルがアクセス可能であり、前記第２の小セルの受信品質が前記第１の小セルの受信品質より低い場合、あるいは、前記第１の小セルがアクセス可能またはアクセス可否不明であり、前記第２の小セルがアクセス不可能またはアクセス可否不明である場合、あるいは、前記第１の小セルがアクセス不可能であり、前記第２の小セルがアクセス不可能またはアクセス可否不明である場合には、前記第２の小セルに対する前記第１の測定結果報告の送信を遅らせて、前記第１の小セルに対する前記第２の測定結果報告と前記第２の小セルに対する前記第１の測定結果報告とをあわせて送信する制御を行う、請求項１または請求項２に記載の端末装置。
【請求項４】
前記報告送信制御部は、連続で発生した前記イベントトリガーの中で最先のイベントトリガーが発生したときに設定される所定のタイマー時間が経過するまでの間、前記第１の小セルに対する前記第２の測定結果報告の送信をキャンセルすることが可能であり、
前記タイマー時間は、前記マクロセルの受信品質に応じて設定される、請求項１ないし請求項３のいずれかに記載の端末装置。
【請求項５】
前記タイマー時間は、前記マクロセルの受信品質が所定の閾値より高い場合には、無限大に設定され、前記マクロセルの受信品質が前記閾値より低い場合には、前記マクロセルの基地局から通知された有限の時間に設定される、請求項４に記載の端末装置。
【請求項６】
前記タイマー時間は、前記マクロセルの基地局から複数の前記端末装置の各々に、個別に通知される、請求項５に記載の端末装置。
【請求項７】
前記タイマー時間は、前記マクロセルの基地局から複数の前記端末装置に、一斉に通知される、請求項５に記載の端末装置。
【請求項８】
ユーザが所持する端末装置と、マクロセルの基地局に設置される基地局装置とを備えた無線通信システムであって、
前記端末装置は、
前記マクロセルにおける受信品質と前記マクロセル内の小セルにおける受信品質との比較結果に基づいて、前記マクロセルから前記小セルへのハンドオーバーを行うイベントトリガーが発生したか否かを判定するトリガー判定部と、
前記イベントトリガーが発生した小セルを示す物理セルＩＤを含む第１の測定結果報告を、前記マクロセルの基地局装置へ送信する第１測定結果報告部と、
前記第１の測定結果報告の応答として前記マクロセルの基地局装置から送信された測定用設定情報に基づいて、前記イベントトリガーが発生した小セルを一意に識別するための固有セルＩＤの検出を行う固有セルＩＤ検出部と、
検出した前記固有セルＩＤを含む第２の測定結果報告を、前記マクロセルの基地局装置へ送信する第２測定結果報告部と、
前記イベントトリガーが連続して発生したときに、先にイベントトリガーが発生した第１の小セルの受信品質と、後にイベントトリガーが発生した第２の小セルの受信品質とに基づいて、前記測定結果報告の送信頻度を減らすように、前記第１および前記第２の小セルに対する前記第１および前記第２の測定結果報告の送信を制御する報告送信制御部と、を備え、
前記報告送信制御部は、
前記第２の小セルの受信品質が前記第１の小セルの受信品質より高い場合には、前記第１の小セルに対する前記第２の測定結果報告の送信をキャンセルして、前記第２の小セルに対する前記第２の測定結果報告の送信を優先する制御を行い、
前記第２の小セルの受信品質が前記第１の小セルの受信品質より低い場合には、前記第２の小セルに対する前記第１の測定結果報告の送信を遅らせて、前記第１の小セルに対する前記第２の測定結果報告と前記第２の小セルに対する前記第１の測定結果報告とをあわせて送信する制御を行うことを特徴とする無線通信システム。
【請求項９】
端末装置または無線通信システムにおいて実行される無線通信方法であって、
前記無線通信方法は、
マクロセルにおける受信品質と前記マクロセル内の小セルにおける受信品質との比較結果に基づいて、前記マクロセルから前記小セルへのハンドオーバーを行うイベントトリガーが発生したか否かを判定することと、
前記イベントトリガーが発生した小セルを示す物理セルＩＤを含む第１の測定結果報告を、前記マクロセルの基地局へ送信することと、
前記第１の測定結果報告の応答として前記マクロセルの基地局から送信された測定用設定情報に基づいて、前記イベントトリガーが発生した小セルを一意に識別するための固有セルＩＤの検出を行うことと、
検出した前記固有セルＩＤを含む第２の測定結果報告を、前記マクロセルの基地局へ送信することと、
前記イベントトリガーが連続して発生したときに、先にイベントトリガーが発生した第１の小セルの受信品質と、後にイベントトリガーが発生した第２の小セルの受信品質とに基づいて、前記測定結果報告の送信頻度を減らすように、前記第１および前記第２の小セルに対する前記第１および前記第２の測定結果報告の送信を制御することと、
を含み、
前記第１および前記第２の測定結果報告の送信を制御するときに、
前記第２の小セルの受信品質が前記第１の小セルの受信品質より高い場合には、前記第１の小セルに対する前記第２の測定結果報告の送信をキャンセルして、前記第２の小セルに対する前記第２の測定結果報告の送信を優先する制御を行い、
前記第２の小セルの受信品質が前記第１の小セルの受信品質より低い場合には、前記第２の小セルに対する前記第１の測定結果報告の送信を遅らせて、前記第１の小セルに対する前記第２の測定結果報告と前記第２の小セルに対する前記第１の測定結果報告とをあわせて送信する制御を行うことを特徴とする無線通信方法。
【発明の詳細な説明】
【技術分野】
【０００１】
本発明は、無線通信システムで用いられる端末装置に関し、特にマクロセルからＣＳＧセルへのハンドオーバー技術に関する。
【背景技術】
【０００２】
近年、３ＧＰＰでは、通常の基地局（ｅＮＢ）が構築するセル（マクロセル）の中に、屋内用のホーム基地局（ＨｅＮＢ）を設置して小さなセル（ＣＳＧセル）を構築することが検討されている（図１１参照）。ＨｅＮＢは、アクセスできる端末装置（ＵＥ）を制限できる機能を有しており、端末装置は、アクセス許可のあるＨｅＮＢにしか接続できない。そのため、端末装置はどんなに受信品質のよいＨｅＮＢを検出してもアクセス許可がなければ、（緊急時を除いて）そのＨｅＮＢに接続できない。【０００３】
端末装置がＨｅＮＢのアクセス許可を得るためには、まず、ＨｅＮＢから送信される報知情報に含まれるセル識別情報（セルＩＤ）を確認する必要がある。各ＣＳＧセルは、グループ単位でＣＳＧ  ＩＤと呼ばれるグループＩＤを持っており、端末装置に対してグループ単位でアクセス許可が与えられる。このセルＩＤには、例えば、ローカルに基地局を識別する物理セルＩＤ（ＰＣＩ）や、全ての基地局でユニークに識別できるセルグローバルＩＤ（ＣＧＩ）などがある。端末装置は、ネットワークから通知されるアクセス可能なＨｅＮＢのグループＩＤのリスト（アクセス許可リスト）と報知情報から受信したセルＩＤを照合する。そして、検出したＨｅＮＢの持つセルＩＤがアクセス許可リストに含まれていれば、そのＨｅＮＢはアクセス可能であると判断される。【０００４】
図１１に示すように、ＨｅＮＢは、ＨｅＮＢ用のゲートウェイ装置（ＨｅＮＢ  ＧＷ）や、モビリティ管理装置（ＭＭＥ）に接続されており、これらの装置がネットワークのリソース確保やＮＡＳメッセージ（位置登録メッセージなど）の管理を行う。なお、アクセス許可リストの情報は、個々の端末の情報であるので、ＨｅＮＢ（各家庭で所有されることを想定している）は、セキュリティの観点からアクセス許可リストの情報を持たない。一方、ＭＭＥは、オペレータによって管理されるため、アクセス許可リストの情報を持つことができる。【０００５】
上述のように、すべてのＣＳＧセルは、物理セルＩＤ（ＰＣＩ）と呼ばれるセル識別情報を持っている。ところが、ＰＣＩによって識別可能なセル数はそれほど多くなく、したがって、図１２に示すように、一つのマクロセル（端末装置が現在接続しているサービングセル）の中で、同一のＰＣＩを持つＣＳＧセルが他にも存在する場合がある。【０００６】
端末装置は、周辺のＣＳＧセルからの信号の受信品質を測定し、その受信品質が所定の条件をクリアすると（ＣＳＧセルの受信品質がサービングセルの受信品質より高い場合など）、そのＣＳＧセルへのハンドオーバーを行うトリガー（イベントトリガーとも呼ばれる）がかかる。そして、端末装置は、このイベントトリガーがかかると、受信品質の良いＣＳＧセルの情報（受信品質とＰＣＩの情報）を測定結果報告（Measurement  Report）を使ってサービングセルのｅＮＢに通知する。サービングセルのｅＮＢは、この通知された情報（受信品質とＰＣＩの情報）に基づいてハンドオーバー先のＣＳＧセルを決定し、ハンドオーバー先のＨｅＮＢにハンドオーバ要求（Handover  Request）を送信する。ところが、この場合に、上述のＰＣＩコリジョンが発生すると、図１２に示すように、サービングセルのｅＮＢは、誤ったＣＳＧセルのＨｅＮＢにハンドオーバ要求を送信してしまう可能性がある（これは、ＰＣＩコンフュージョンと呼ばれる）。【０００７】
例えば、図１２では、端末装置は、図の左側のＣＳＧセルの受信品質を測定し、このＣＳＧセル（ターゲットセル）へのハンドオーバーを想定して、測定結果報告をサービングセルのｅＮＢに送る。しかし、ｅＮＢは、誤って同一のＰＣＩを持つ他のＣＳＧセル（図の右側のＣＳＧセル）のＨｅＮＢにハンドオーバー要求を送ってしまう。その結果、端末装置は、ターゲットセル（図の左側のＣＳＧセル）へのハンドオーバーに失敗してしまうことになる。【０００８】
従来、このようなＰＣＩコンフュージョンに対する対策として、セル識別情報として（ＰＣＩだけでなく）ＣＧＩを利用する方法、例えば、ＣＳＧセルの報知情報から検出したＣＧＩを、測定結果報告を使ってサービングセルに通知することによって、ＣＳＧセルを一意に特定する方法が提案されている。しかし、ＣＧＩを検出するには（ＰＣＩに比べて）時間がかかる。そこで、端末装置は、まず、第１の測定結果報告（1st  Measurement  Report）でＰＣＩと受信品質をサービングセルに通知しておき、ＣＧＩの検出後に、第２の測定結果報告（2nd  Measurement  Report）でＣＧＩをサービングセルに通知する（例えば、非特許文献１参照）。【０００９】
具体的には、図１３に示すように、端末装置は、周辺のＣＳＧセルの受信品質を測定し（Ｓ１００）、受信品質の良いＣＳＧセルを見つける（イベントトリガーが発生する）と（Ｓ１０１）、まず、その受信品質の良いＣＳＧセルのＰＣＩと測定した受信品質を、第１の測定結果報告を使ってｅＮＢに通知する（Ｓ１０２）。サービングセルのｅＮＢは、端末装置から受信した第１の測定結果報告の中からハンドオーバー先候補のＣＳＧセルを一つ選択し、そのＣＳＧセルのＣＧＩを検出するために必要な設定情報を含んだ測定用設定情報（Measurement  Configuration）を端末装置に送信する（Ｓ１０３）。端末装置は、サービングセルから受信した測定用設定情報に含まれる情報（ギャップやＤＲＸなどのデータ送信を中断する情報）に基づいて、サービングセルからの受信を中断して、ターゲットセルとして指示されたＣＳＧセルのＣＧＩ検出を行い（Ｓ１０４）、検出したＣＧＩを、第２の測定結果報告を使ってサービングセルに通知する（Ｓ１０５）。【００１０】
しかしながら、従来の方法では、ＣＧＩ検出時には、測定用設定情報に基づいてギャップ（データが送受信されない期間）やＤＲＸ（不連続受信）などの設定が端末装置で行われ、サービングセルから端末装置へのデータ送信が中断される（これにより、端末装置は周辺のＣＳＧセルのＣＧＩを検出することが可能になる）。したがって、（ＣＧＩ検出の頻度が低ければあまり問題にはならないが、）ＣＧＩ検出が頻繁に行われると、サービングセルと端末装置との通信の中断が発生や、スループットの低下につながる。【００１１】
特に、家庭内での設置が想定されるＨｅＮＢは、（オペレータが設置場所を考えて配置するｅＮＢに比べて）ある程度自由に配置されることが多く、例えば、マクロセルのセルエッジ付近に複数のＨｅＮＢが隣接して配置されることがある（図１４参照）。そのようなエリアを端末装置が通過する場合、（端末装置がマクロセルのセルエッジに位置しているため）マクロセルの受信品質が低く、周囲のＣＳＧセルへのイベントトリガーが発生する可能性が高い。しかも、この場合、複数のＨｅＢＮが隣接して配置されているため、端末装置が少し移動しただけで、他のＣＳＧセルへのイベントトリガーが発生する可能性がある。つまり、このような場合には、複数のＣＳＧセルへのイベントトリガーが連続して発生する可能性がある。【００１２】
例えば、マクロセルエッジに位置する端末装置の周辺に３つのＣＳＧセルが存在しており、これらの３つのＣＳＧセルへのイベントトリガーが連続して発生した場合を想定する（図１４参照）。この場合には、図１５に示すように、まず、端末装置は、一つ目のＣＳＧセル（ＣＳＧ１）へのイベントトリガーが発生したときに（Ｓ１１０）、そのＣＳＧセル（ＣＳＧ１）のＰＣＩと受信品質を、第１の測定結果報告でｅＮＢに通知する（Ｓ１１１）。ｅＮＢは、この第１の測定結果報告を受信すると、そのＣＳＧセル（ＣＳＧ１）のＣＧＩを検出するため測定用設定情報を、端末装置へ返信する（Ｓ１１２）。【００１３】
つぎに、端末装置は、二つ目のＣＳＧセル（ＣＳＧ２）へのイベントトリガーが発生したときに（Ｓ１１３）、そのＣＳＧセル（ＣＳＧ２）のＰＣＩと受信品質を、第１の測定結果報告でｅＮＢに通知する（Ｓ１１４）。ｅＮＢは、この第１の測定結果報告を受信すると、そのＣＳＧセル（ＣＳＧ２）のＣＧＩを検出するため測定用設定情報を、端末装置へ返信する（Ｓ１１５）。【００１４】
また、端末装置は、三つ目のＣＳＧセル（ＣＳＧ３）へのイベントトリガーが発生したときに（Ｓ１１６）、そのＣＳＧセル（ＣＳＧ３）のＰＣＩと受信品質を、第１の測定結果報告でｅＮＢに通知する（Ｓ１１７）。ｅＮＢは、この第１の測定結果報告を受信すると、そのＣＳＧセル（ＣＳＧ３）のＣＧＩを検出するため測定用設定情報を、端末装置へ返信する（Ｓ１１８）。【００１５】
そして、端末装置は、まず、一つ目のＣＳＧセル（ＣＳＧ１）のための測定用設定情報に基づいて、そのＣＳＧセル（ＣＳＧ１）のＣＧＩ検出を行い（Ｓ１１９）、検出したＣＧＩを、第２の測定結果報告を使ってサービングセルに通知する（Ｓ１２０）。つぎに、端末装置は、二つ目のＣＳＧセル（ＣＳＧ２）のための測定用設定情報に基づいて、そのＣＳＧセル（ＣＳＧ２）のＣＧＩ検出を行い（Ｓ１２１）、検出したＣＧＩを、第２の測定結果報告を使ってサービングセルに通知する（Ｓ１２２）。以下、三つ目のＣＳＧセル（ＣＳＧセル３）についても同様である。【００１６】
このように、複数のＣＳＧセルへのイベントトリガーが連続して発生すると、端末装置からｅＮＢへ測定結果報告が頻繁に送信されることになり、無線リソースを浪費してしまう。また、上述のように、ＣＧＩ検出が頻繁に行われることになると、通信の中断が頻発することになる。
【先行技術文献】
【非特許文献】
【００１７】
【非特許文献１】3GPP  TSG-RAN  WG2  meeting  #63寄書  R2-084736  “Way  forward  for  handover  to  HeNB”
【発明の概要】
【発明が解決しようとする課題】
【００１８】
本発明は、上記背景の下でなされたものである。本発明の目的は、ハンドオーバーのイベントトリガーが連続して発生した場合であっても、無線リソースの浪費を抑制することが可能であり、通信の中断が頻発することを抑えることのできる端末装置を提供することにある。
【課題を解決するための手段】
【００１９】
本発明の一の態様は、端末装置であり、この端末装置は、マクロセルにおける受信品質とマクロセル内の小セルにおける受信品質との比較結果に基づいて、マクロセルから小セルへのハンドオーバーを行うイベントトリガーが発生したか否かを判定するトリガー判定部と、イベントトリガーが発生した小セルを示す物理セルＩＤを含む第１の測定結果報告を、マクロセルの基地局へ送信する第１測定結果報告部と、第１の測定結果報告の応答としてマクロセルの基地局から送信された測定用設定情報に基づいて、イベントトリガーが発生した小セルを一意に識別するための固有セルＩＤの検出を行う固有セルＩＤ検出部と、検出した固有セルＩＤを含む第２の測定結果報告を、マクロセルの基地局へ送信する第２測定結果報告部と、イベントトリガーが連続して発生したときに、先にイベントトリガーが発生した第１の小セルの受信品質と、後にイベントトリガーが発生した第２の小セルの受信品質とに基づいて、測定結果報告の送信頻度を減らすように、第１および第２の小セルに対する第１および第２の測定結果報告の送信を制御する報告送信制御部と、を備えた構成を有している。【００２０】
また、本発明の別の態様は、無線通信システムであり、この無線通信システムは、ユーザが所持する端末装置と、マクロセルの基地局に設置される基地局装置とを備えた無線通信システムであって、端末装置は、マクロセルにおける受信品質とマクロセル内の小セルにおける受信品質との比較結果に基づいて、マクロセルから小セルへのハンドオーバーを行うイベントトリガーが発生したか否かを判定するトリガー判定部と、イベントトリガーが発生した小セルを示す物理セルＩＤを含む第１の測定結果報告を、マクロセルの基地局装置へ送信する第１測定結果報告部と、第１の測定結果報告の応答としてマクロセルの基地局装置から送信された測定用設定情報に基づいて、イベントトリガーが発生した小セルを一意に識別するための固有セルＩＤの検出を行う固有セルＩＤ検出部と、検出した固有セルＩＤを含む第２の測定結果報告を、マクロセルの基地局装置へ送信する第２測定結果報告部と、イベントトリガーが連続して発生したときに、先にイベントトリガーが発生した第１の小セルの受信品質と、後にイベントトリガーが発生した第２の小セルの受信品質とに基づいて、測定結果報告の送信頻度を減らすように、第１および第２の小セルに対する第１および第２の測定結果報告の送信を制御する報告送信制御部と、を備えた構成を有している。【００２１】
また、本発明の別の態様は、無線通信方法であり、この無線通信方法は、マクロセルにおける受信品質とマクロセル内の小セルにおける受信品質との比較結果に基づいて、マクロセルから小セルへのハンドオーバーを行うイベントトリガーが発生したか否かを判定することと、イベントトリガーが発生した小セルを示す物理セルＩＤを含む第１の測定結果報告を、マクロセルの基地局へ送信することと、第１の測定結果報告の応答としてマクロセルの基地局から送信された測定用設定情報に基づいて、イベントトリガーが発生した小セルを一意に識別するための固有セルＩＤの検出を行うことと、検出した固有セルＩＤを含む第２の測定結果報告を、マクロセルの基地局へ送信することと、イベントトリガーが連続して発生したときに、先にイベントトリガーが発生した第１の小セルの受信品質と、後にイベントトリガーが発生した第２の小セルの受信品質とに基づいて、測定結果報告の送信頻度を減らすように、第１および第２の小セルに対する第１および第２の測定結果報告の送信を制御することと、を含んでいる。【００２２】
本発明は、端末装置からマクロセルの基地局に測定結果報告が頻繁に送信されるのを抑えることができ、無線リソースの浪費を抑制することが可能であり、また、固有セルＩＤの検出が頻繁に行われることが抑えることができ、通信の中断が頻発することを抑えることが可能である。【００２３】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００２４】
【図１】図１は、本発明の第１の実施の形態における端末装置の構成を示すブロック図
【図２】図２は、無線通信システムにおける端末装置とマクロセル基地局とＣＳＧセル基地局の配置の一例を示す図
【図３】図３は、第２のＣＳＧセルの第２の測定結果報告の送信を優先する制御のシーケンス図
【図４】図４は、第２のＣＳＧセルの第１の測定結果報告の送信を遅らせる制御のシーケンス図
【図５】図５は、本発明の第１の実施の形態における端末装置の処理の全体の流れを示すフロー図
【図６】図６は、タイマー設定の動作の流れを示すフロー図
【図７】図７は、第２の測定結果報告の送信を優先する制御の流れを示すフロー図
【図８】図８は、第１の測定結果報告の送信を遅らせる制御の流れを示すフロー図
【図９】図９は、本発明の第２の実施の形態における端末装置の構成を示すブロック図
【図１０】図１０は、本発明の第２の実施の形態における端末装置の動作の全体の流れを示すフロー図
【図１１】図１１は、マクロセルとＣＳＧセルの構成を示す説明図
【図１２】図１２は、ＰＣＩコリジョンおよびＰＣＩコンフュージョンの説明図
【図１３】図１３は、従来のＰＣＩコンフュージョン対策用の測定結果報告の送信制御のシーケンス図
【図１４】図１４は、端末装置とマクロセルの基地局とＣＳＧセルの基地局の配置の一例を示す図
【図１５】図１５は、従来においてイベントトリガーが連続して発生したときの測定結果報告の送信制御のシーケンス図
【発明を実施するための形態】
【００２５】
以下に本発明の詳細な説明を述べる。ただし、以下の詳細な説明と添付の図面は発明を限定するものではない。
【００２６】
以下、本発明の実施の形態の端末装置について、図面を用いて説明する。本実施の形態では、無線通信システムで用いられる端末装置（例えば、携帯電話機やＰＤＡなど）の場合を例示する。
【００２７】
（第１の実施の形態）
本発明の第１の実施の形態の端末装置の構成を、図面を参照して説明する。図１は、本実施の形態の端末装置の構成を示すブロック図であり、図２は、無線通信システムにおける端末装置とマクロセル基地局とＣＳＧセル基地局の配置の一例を示す図である。
【００２８】
ここでは、まず、図２を参照して、本実施の形態のセル配置について説明する。図２に示すように、本実施の形態の無線通信システムは、ユーザが所持する端末装置（ＵＥ）と、マクロセルを構築するマクロセル基地局（ｅＮＢ）と、マクロセル内に設置されるＣＳＧセルを構築するホーム基地局（ＨｅＮＢ）を備えている。そして、図２の例では、マクロセルエッジに位置する端末装置の周辺に２つのＣＳＧセルが存在する場合が示されている。ここでは、ＣＳＧセルが、本発明の小セルに相当する。なお、図２では、説明の便宜のため、ＣＳＧセルが２つの場合を例示しているが、本発明の範囲はこれに限定されるものではない。
【００２９】
つぎに、図１を参照して、本実施の形態の端末装置の構成について説明する。本実施の形態の端末装置１は、自装置が過去に検出したセル情報（フィンガープリント情報）を用いて、イベントトリガーが発生したＣＳＧセルがアクセス可能か否かを判定し、その判定結果に応じて測定結果報告の送信方法を変える機能を備えている。
【００３０】
図１に示すように、端末装置１（ＵＥ）は、マクロセル基地局（ｅＮＢ）に設置される基地局装置と通信するための通信部２と、マクロセルからＣＳＧセルへのハンドオーバーの制御を行うための制御部３と、フィンガープリント情報（過去に検出したセル情報）を保持するためのフィンガープリント情報記憶部４を備えている。このフィンガープリント情報には、たとえば、端末装置１が過去に検出したＣＳＧセルのセル情報として、そのＣＳＧセルの識別情報（ＰＣＩやＣＧＩ）とそのＣＳＧセルのアクセス可否に関する情報（この端末装置１のアクセスが許可されているか否かの情報）が含まれている。したがって、このフィンガープリント情報記憶部４は、本発明のセル情報記憶部に相当する。
【００３１】
制御部３は、マクロセルの基地局（ｅＮＢ）からの信号の受信品質とＣＳＧセルの基地局（ＨｅＮＢ）からの信号の受信品質を測定する測定部５を備えている。この測定部５は、マクロセルの受信品質とＣＳＧセルの受信品質との比較結果に基づいて、マクロセルからＣＳＧセルへのハンドオーバーを行うイベントトリガーが発生したか否かの判定をするトリガー判定部６を備えている。このトリガー判定部６は、例えば、マクロセルの受信品質よりＣＳＧセルの受信品質が高くなった場合に、そのＣＳＧセルへのハンドオーバーを行うイベントトリガーが発生したと判定する。
【００３２】
また、制御部３は、イベントトリガーが発生したＣＳＧセルのＰＣＩを含んだ第１の測定結果報告をマクロセルの基地局へ送信する第１測定結果報告部７と、第１の測定結果報告に対する応答としてマクロセル基地局から送信された測定用設定情報を受け付ける測定用設定受付部８と、測定用設定情報に基づいてイベントトリガーが発生したＣＳＧセルのＣＧＩを検出するＣＧＩ検出部９と、ＣＧＩを含んだ第２の測定結果報告をマクロセルの基地局へ送信する第２測定結果報告部１０を備えている。なお、第１測定結果報告部７と第２測定結果報告部１０は一つの測定結果報告部としてまとめてもよい。
【００３３】
また、この制御部３は、イベントトリガーが連続して発生したときに測定結果報告の送信制御（後述する）を行うための構成として、判定部１１とタイマー設定部１２と報告送信制御部１３を備えている。
【００３４】
判定部１１は、イベントトリガーが発生したＣＳＧセルの受信品質とフィンガープリント情報（ＣＳＧセルがアクセス可能か否かについての情報）に基づいて、測定結果報告の送信制御を行うときの基準となる所定の条件を満たしているか否かの判定を行う条件判定部１４を備えている。具体的には、条件判定部１４は、連続してイベントトリガーが発生したＣＳＧセルについて、条件１−１「先にイベントトリガーが発生したＣＳＧセル（第１のＣＳＧセルという）がアクセス可能またはアクセス可否不明であり、後にイベントトリガーが発生したＣＳＧセル（第２のＣＳＧセルという）がアクセス可能であり、第２のＣＳＧセルの受信品質が第１のＣＳＧセルの受信品質より高い」、条件１−２「第１のＣＳＧセルがアクセス不可能であり、第２のＣＳＧセルがアクセス可能である」を満たしているか否かの判定を行う。
【００３５】
報告送信制御部１３は、上記の条件１−１または条件１−２のいずれかを満たしていると判定された場合には、第１のＣＳＧセルに対する第２の測定結果報告の送信をキャンセルして、第２のＣＳＧセルに対する第２の測定結果報告の送信を優先するように、測定結果報告の送信制御を行う。
【００３６】
一方、上記の条件１−１または条件１−２のいずれも満たしていないと判定された場合には、報告送信制御部１３は、第２のＣＳＧセルに対する第１の測定結果報告の送信を遅らせて、第１のＣＳＧセルに対する第２の測定結果報告と第２のＣＳＧセルに対する第１の測定結果報告をあわせて送信するように、測定結果報告の送信制御を行う。
【００３７】
なお、上記の条件１−１または条件１−２のいずれも満たしていないと判定される場合には、例えば「第１のＣＳＧセルがアクセス可能またはアクセス可否不明であり、第２のＣＳＧセルがアクセス可能であり、第２のＣＳＧセルの受信品質が第１のＣＳＧセルの受信品質より低い場合」、「第１のＣＳＧセルがアクセス可能またはアクセス可否不明であり、第２のＣＳＧセルがアクセス不可能またはアクセス可否不明である場合」、「第１のＣＳＧセルがアクセス不可能であり、第２のＣＳＧセルがアクセス不可能またはアクセス可否不明である場合」などが含まれる。
【００３８】
また、判定部１１は、イベントトリガーが連続して発生した場合に、最先のイベントトリガーが発生したときに設定されたタイマー時間が経過したか否かを判定するタイマー判定部１５を備えている。タイマー設定部１２は、マクロセルの受信品質に応じてタイマー時間を設定する機能を備えている。例えば、タイマー設定部１２は、マクロセルの受信品質が所定の閾値より高い場合には、タイマー時間を無限大に設定し（タイマー時間を設定しないともいえる）、マクロセルの受信品質が所定の閾値より低い場合には、マクロセルの基地局から通知された時間（有限のタイマー時間）に設定する。なお、このタイマー時間や閾値などは、マクロセルの基地局から複数の端末装置１に対して、測定用設定情報を用いて個別に通知してもよく、または、報知情報を用いて一斉に通知してもよい。
【００３９】
そして、報知送信制御部は、上記の条件１−１または条件１−２のいずれかを満たしていると判定された場合であっても、このタイマー時間の経過後には、第１のＣＳＧセルに対する第２の測定結果報告の送信をキャンセルしないようにする。つまり、報知送信制御部は、最先のイベントトリガーが発生したときに設定されたタイマー時間が経過するまでの間だけ、第１のＣＳＧセルに対する第２の測定結果報告の送信をキャンセルできるともいえる。
【００４０】
以上のように構成された端末装置１について、図面を参照してその動作を説明する。
【００４１】
以下、本発明の特徴的な動作である測定結果報告の送信制御を中心に説明するが、ここでは、マクロセルエッジに位置する端末装置１の周辺に２つのＣＳＧセルが存在しており、これらの２つのＣＳＧセルへのイベントトリガーが連続して発生した場合を想定して説明する（図２参照）。
【００４２】
まず、図３および図４のシーケンス図を参照しながら、システム全体の動作の流れを説明する。図３は、上記の条件１−１または条件１−２のいずれかを満たしていると判定された場合のシステム全体の動作の流れを示すシーケンス図である。図３に示すように、まず、端末装置１は、一つ目のＣＳＧセル（ＣＳＧ１）へのイベントトリガーが発生したときに（Ｓ１０）、そのＣＳＧセル（ＣＳＧ１）のＰＣＩと受信品質を、第１の測定結果報告でｅＮＢに通知する（Ｓ１１）。ｅＮＢは、この第１の測定結果報告を受信すると、そのＣＳＧセル（ＣＳＧ１）のＣＧＩを検出するため測定用設定情報を、端末装置１へ返信する（Ｓ１２）。なお、条件１−１または条件１−２のいずれかを満たしていると判定された場合には、このときにタイマー時間の設定が行われる。
【００４３】
つぎに、端末装置１は、二つ目のＣＳＧセル（ＣＳＧ２）へのイベントトリガーが発生したときに（Ｓ１３）、そのＣＳＧセル（ＣＳＧ２）のＰＣＩと受信品質を、第１の測定結果報告でｅＮＢに通知する（Ｓ１４）。ｅＮＢは、この第１の測定結果報告を受信すると、そのＣＳＧセル（ＣＳＧ２）のＣＧＩを検出するため測定用設定情報を、端末装置１へ返信する（Ｓ１５）。
【００４４】
そして、条件１−１または条件１−２のいずれかを満たしていると判定された場合には、端末装置１は、一つ目のＣＳＧセル（ＣＳＧ１）のＣＧＩを検出するのをキャンセルし（検出したＣＧＩを第２の測定結果報告でｅＮＢに報告するのをキャンセルし）、二つ目のＣＳＧセル（ＣＳＧ２）のＣＧＩ検出を行って（Ｓ１６）、検出したＣＧＩを、第２の測定結果報告を使ってｅＮＢに通知する（Ｓ１７）。なお、タイマー時間の経過後には、一つ目のＣＳＧセル（ＣＳＧ１）に対する第２の測定結果報告の送信をキャンセルしない。
【００４５】
図４は、上記の条件１−１または条件１−２のいずれも満たしていないと判定された場合のシステム全体の動作の流れを示すシーケンス図である。図４に示すように、まず、端末装置１は、一つ目のＣＳＧセル（ＣＳＧ１）へのイベントトリガーが発生したときに（Ｓ２０）、そのＣＳＧセル（ＣＳＧ１）のＰＣＩと受信品質を、第１の測定結果報告でｅＮＢに通知する（Ｓ２１）。ｅＮＢは、この第１の測定結果報告を受信すると、そのＣＳＧセル（ＣＳＧ１）のＣＧＩを検出するため測定用設定情報を、端末装置１へ返信する（Ｓ２２）。
【００４６】
条件１−１または条件１−２のいずれも満たしていない判定された場合には、端末装置１は、二つ目のＣＳＧセル（ＣＳＧ２）へのイベントトリガーが発生したときに（Ｓ２３）、そのＣＳＧセル（ＣＳＧ２）のＰＣＩと受信品質を、第１の測定結果報告でｅＮＢに通知するのを遅らせる。そして、一つ目のＣＳＧセル（ＣＳＧ１）のＣＧＩ検出を行って（Ｓ２４）、検出したＣＳＧ１のＣＧＩとＣＳＧ２のＰＣＩを、第２の測定結果報告を使ってｅＮＢに通知する（Ｓ２５）。
【００４７】
つぎに、端末装置１における処理の流れについて、図５〜図８のフロー図を参照して説明する。図５は、端末装置１の処理の全体の流れを示すフロー図である。図５に示すように、端末装置１は、マクロセルの受信品質と周辺のＣＳＧセルの受信品質を測定し（Ｓ１）、受信品質の比較結果に基づいて、ＣＳＧセルへのハンドオーバーのイベントトリガーが発生したか否かの判定を行う（Ｓ２）。
【００４８】
ＣＳＧセルへのイベントトリガーが発生したと判定された場合には、フィンガープリント情報を用いて、そのＣＳＧセルにアクセス許可があるか否かの確認を行う（Ｓ３）。つぎに、先にイベントトリガーが発生したＣＳＧセルがあるか否かの判定を行い（Ｓ４）、先にイベントトリガーが発生していた場合には、上述の条件１−１または条件１−２を満たしているか否かの判定を行う（Ｓ５）。
【００４９】
先にイベントトリガーが発生していなかった場合には、タイマー設定の処理を行い（Ｓ６）、条件１−１または条件１−２のいずれかを満たしていると判定された場合には、後にイベントトリガーが発生したＣＳＧセル（ＣＳＧ２）の第２の測定結果報告の送信を優先する制御を行う（Ｓ７）。一方、条件１−１または条件１−２のいずれも満たしていないと判定された場合には、後にイベントトリガーが発生したＣＳＧセル（ＣＳＧ２）の第１の測定結果報告の送信を遅らせる制御を行う（Ｓ８）。
【００５０】
図６は、タイマー設定の処理の流れを示すフロー図である。図６に示すように、マクロセルの受信品質が所定の閾値より高いか否かの判定を行い（Ｓ６０）、マクロセルの受信品質が低いと判定された場合には、タイマー時間をマクロセルの基地局（ｅＮＢ）から通知された値に設定する（Ｓ６１）。一方、マクロセルの受信品質が高いと判定された場合には、タイマー時間を無限大に設定する（Ｓ６２）。
【００５１】
図７は、第２の測定結果報告の送信を優先する制御の流れを示すフロー図である。図７に示すように、まず、タイマー時間が経過していないか否かの判定を行い（Ｓ７０）、タイマー時間が経過していないと判定された場合には、ＣＳＧセル（ＣＳＧ２）のＰＣＩと受信品質を第１の測定結果報告でサービングセルのｅＮＢに送信し（Ｓ７１）、その応答として測定用設定情報をｅＮＢから受信する（Ｓ７２）。そして、先にトリガーが発生したＣＳＧセル（ＣＳＧ１）のＣＧＩの検出をキャンセルし（Ｓ７３）、後にトリガーが発生したＣＳＧセル（ＣＳＧ２）のＣＧＩの検出を行って（Ｓ７４）、検出したＣＧＩを第２の測定結果報告でサービングセルのｅＮＢに送信する（Ｓ７５）。
【００５２】
図８は、第１の測定結果報告の送信を遅らせる制御の流れを示すフロー図である。図８に示すように、まず、端末装置１は、ステップ６で設定されたタイマーをリセットする（Ｓ８０）。つぎに、後にイベントトリガーが発生したＣＳＧセル（ＣＳＧ２）の第１の測定結果報告の送信を遅らせて（Ｓ８１）、先にイベントトリガーが発生したＣＳＧセル（ＣＳＧ１）のＣＧＩを検出する（Ｓ８２）。そして、検出したＣＳＧ１のＣＧＩと、ステップ８１で送信を遅らせたＣＳＧ２のＰＣＩとを含んだ第２の測定結果報告を作成し（Ｓ８３）、その第２の測定結果報告をサービングセルのｅＮＢに送信する（Ｓ８４）。
【００５３】
このような本発明の第１の実施の形態の端末装置１によれば、端末装置１（ＵＥ）からマクロセルの基地局（ｅＮＢ）に測定結果報告が頻繁に送信されるのを抑えることができる。したがって、無線リソースの浪費を抑制することが可能であり、また、ＣＧＩの検出が頻繁に行われることが抑えることができ、通信の中断が頻発することを抑えることが可能である。
【００５４】
本実施の形態の端末装置１は、マクロセルにおける受信品質とマクロセル内のＣＳＧセルにおける受信品質との比較結果に基づいて、マクロセルからＣＳＧセルへのハンドオーバーを行うイベントトリガーが発生したか否かを判定するトリガー判定部６と、イベントトリガーが発生したＣＳＧセルを示す物理セルＩＤ（ＰＣＩ）を含む第１の測定結果報告を、マクロセルの基地局へ送信する第１測定結果報告部７と、第１の測定結果報告の応答としてマクロセルの基地局から送信された測定用設定情報に基づいて、イベントトリガーが発生したＣＳＧセルを一意に識別するための固有セルＩＤ（ＣＧＩ）の検出を行うＣＧＩ検出部９と、検出したＣＧＩを含む第２の測定結果報告を、マクロセルの基地局へ送信する第２測定結果報告部１０と、イベントトリガーが連続して発生したときに、先にイベントトリガーが発生した第１のＣＳＧセルの受信品質と、後にイベントトリガーが発生した第２のＣＳＧセルの受信品質とに基づいて、測定結果報告の送信頻度を減らすように、第１および第２のＣＳＧセルに対する第１および第２の測定結果報告の送信を制御する報告送信制御部１３と、を備えている。
【００５５】
この構成により、マクロセルからＣＳＧセルへのハンドオーバーを行うイベントトリガーが連続して発生した場合に、先にイベントトリガーが発生したＣＳＧセル（第１のＣＳＧセル）と後にイベントトリガーが発生したＣＳＧセル（第２のＣＳＧセル）の受信品質に基づいて、測定結果報告の送信頻度を減らすように報告送信制御が行われる。したがって、端末装置１からマクロセルの基地局に測定結果報告が頻繁に送信されるのを抑えることができ、無線リソースの浪費を抑制することができる。この場合、第２の測定結果報告の送信が頻発されるのが軽減されると、それに伴ってＣＧＩの検出が頻繁に行われることが抑えられる。したがって、ＣＧＩの検出をするために通信の中断が頻発することを抑えることができる。
【００５６】
また、本実施の形態では、報告送信制御部１３は、第２のＣＳＧセルの受信品質が第１のＣＳＧセルの受信品質より高い場合には、第１のＣＳＧセルに対する第２の測定結果報告の送信をキャンセルして、第２のＣＳＧセルに対する第２の測定結果報告の送信を優先する制御を行い、第２のＣＳＧセルの受信品質が第１のＣＳＧセルの受信品質より低い場合には、第２のＣＳＧセルに対する第１の測定結果報告の送信を遅らせて、第１のＣＳＧセルに対する第２の測定結果報告と第２のＣＳＧセルに対する第１の測定結果報告とをあわせて送信する制御を行ってもよい。
【００５７】
この構成により、後にイベントトリガーが発生したＣＳＧセル（第２のＣＳＧセル）のほうが受信品質が高い場合には、先にイベントトリガーが発生したＣＳＧセル（第１のＣＳＧセル）に対する第２の測定結果報告の送信がキャンセルされ、受信品質の高いＣＳＧセル（第２のＣＳＧセル）に対する第２の測定結果報告の送信が優先される。これにより、不要な測定結果報告の送信を減らすことができ、必要な測定結果報告の送信をすぐに行うことができる。
【００５８】
一方、後にイベントトリガーが発生したＣＳＧセル（第２のＣＳＧセル）のほうが受信品質が低い場合には、そのＣＳＧセル（受信品質の低い第２のＣＳＧセル）に対する第１の測定結果報告を遅らせて、先にイベントトリガーが発生したＣＳＧセル（第１のＣＳＧセル）に対する第２の測定結果報告とあわせて送信する。これにより、不要な測定結果報告の送信を減らすことができる。
【００５９】
また、本実施の形態の端末装置１は、過去に検出したＣＳＧセルのセル情報（フィンガープリント情報）であって、ＣＳＧセルに対するアクセス可否に関する情報を記憶するフィンガープリント情報記憶部４と、セル情報に基づいて、イベントトリガーが発生したＣＳＧセルがアクセス可能であるか否かを判定する条件判定部１４と、を備え、報告送信制御部１３は、第１および第２のＣＳＧセルがアクセス可能であるか否かの判定結果に基づいて、第１および第２のＣＳＧセルに対する第１および第２の測定結果報告の送信を制御してもよい。
【００６０】
この構成により、マクロセルからＣＳＧセルへのハンドオーバーを行うイベントトリガーが連続して発生した場合に、先にイベントトリガーが発生したＣＳＧセル（第１のＣＳＧセル）と後にイベントトリガーが発生したＣＳＧセル（第２のＣＳＧセル）がアクセス可能であるか否かの判定結果（アクセス条件）に基づいて、測定結果報告の送信頻度を減らすように報告送信制御が行われる。したがって、端末装置１からマクロセルの基地局に測定結果報告が頻繁に送信されるのを抑えることができ、無線リソースの浪費を抑制することができる。この場合にも、第２の測定結果報告の送信が頻発されるのが軽減されると、それに伴ってＣＧＩの検出が頻繁に行われることが抑えられる。したがって、ＣＧＩの検出をするために通信の中断が頻発することを抑えることができる。
【００６１】
また、本実施の形態では、報告送信制御部１３は、第１のＣＳＧセルがアクセス可能またはアクセス可否不明であり、第２のＣＳＧセルがアクセス可能であり、第２のＣＳＧセルの受信品質が第１のＣＳＧセルの受信品質より高い場合、あるいは、第１のＣＳＧセルがアクセス不可能であり、第２のＣＳＧセルがアクセス可能である場合には、第１のＣＳＧセルに対する第２の測定結果報告の送信をキャンセルして、第２のＣＳＧセルに対する第２の測定結果報告の送信を優先する制御を行い、第１のＣＳＧセルがアクセス可能またはアクセス可否不明であり、第２のＣＳＧセルがアクセス可能であり、第２のＣＳＧセルの受信品質が第１のＣＳＧセルの受信品質より低い場合、あるいは、第１のＣＳＧセルがアクセス可能またはアクセス可否不明であり、第２のＣＳＧセルがアクセス不可能またはアクセス可否不明である場合、あるいは、第１のＣＳＧセルがアクセス不可能であり、第２のＣＳＧセルがアクセス不可能またはアクセス可否不明である場合には、第２のＣＳＧセルに対する第１の測定結果報告の送信を遅らせて、第１のＣＳＧセルに対する第２の測定結果報告と第２のＣＳＧセルに対する第１の測定結果報告とをあわせて送信する制御を行ってもよい。
【００６２】
この構成により、後にイベントトリガーが発生したＣＳＧセル（第２のＣＳＧセル）のほうがアクセス条件が良い場合には、先にイベントトリガーが発生したＣＳＧセル（第１のＣＳＧセル）に対する第２の測定結果報告の送信がキャンセルされ、アクセス条件の良いＣＳＧセル（第２のＣＳＧセル）に対する第２の測定結果報告の送信が優先される。これにより、不要な測定結果報告の送信を減らすことができ、必要な測定結果報告の送信をすぐに行うことができる。
【００６３】
一方、後にイベントトリガーが発生したＣＳＧセル（第２のＣＳＧセル）のほうがアクセス条件が良くない場合には、そのＣＳＧセル（アクセス条件の良くない第２のＣＳＧセル）に対する第１の測定結果報告を遅らせて、先にイベントトリガーが発生したＣＳＧセル（第１のＣＳＧセル）に対する第２の測定結果報告とあわせて送信する。これにより、不要な測定結果報告の送信を減らすことができる。
【００６４】
また、本実施の形態では、報告送信制御部１３は、連続で発生したイベントトリガーの中で最先のイベントトリガーが発生したときに設定される所定のタイマー時間が経過するまでの間、第１のＣＳＧセルに対する第２の測定結果報告の送信をキャンセルすることが可能であり、タイマー時間は、マクロセルの受信品質に応じて設定されてもよい。
【００６５】
この構成により、マクロセルからＣＳＧセルへのハンドオーバーを行うイベントトリガーが連続して発生した場合には、最先のイベントトリガーが発生したときに設定されたタイマー時間が経過すると、測定結果報告の送信がキャンセルされることがなくなる。これにより、測定結果報告の送信がキャンセルされ続ける現象が起こるのを防ぐことができる。このタイマー時間は、マクロセルの受信品質に応じて適切に設定される。
【００６６】
また、本実施の形態では、タイマー時間は、マクロセルの受信品質が所定の閾値より高い場合には、無限大に設定され、マクロセルの受信品質が閾値より低い場合には、マクロセルの基地局から通知された有限の時間に設定されてもよい。
【００６７】
この構成により、マクロセルの受信品質が高い場合には、すぐにハンドオーバーを行う必要性が低いため、タイマー時間は無限大に設定される。一方、マクロセルの受信品質が低い場合には、できるだけすぐにハンドオーバーを行うことが望ましいため、そのマクロセルの基地局から通知された適切なタイマー時間（有限のタイマー時間）に設定される。例えば、マクロセルの受信品質が低いほど、タイマー時間が短くなるように設定される。
【００６８】
また、本実施の形態では、タイマー時間は、マクロセルの基地局から複数の端末装置１の各々に、個別に通知されてもよい。
【００６９】
この構成により、タイマー時間は、マクロセルの基地局から複数の端末装置１の各々に対して、個別に通知される。これにより、各端末装置１についてタイマー時間を個別に設定することができる。この通知方法は、端末装置１の個数が少ない場合に適しており、例えば、測定用設定メッセージを用いて個別に通知すれば、報知情報を用いて一斉に通知（一斉同報）する場合に比べて、報知情報の情報量を減らすことができる。
【００７０】
また、本実施の形態では、タイマー時間は、マクロセルの基地局から複数の端末装置１に、一斉に通知されてもよい。
【００７１】
この構成により、タイマー時間は、マクロセルの基地局から複数の端末装置１に対して、一斉に通知される。これにより、全端末装置１に共通のタイマー時間を容易に設定することができる。この通知方法は、端末装置１の個数が多い場合に適しており、例えば、報知情報を用いて一斉に通知すれば、測定用設定メッセージを用いて個別に通知する場合に比べて、測定用設定メッセージの情報量を減らすことができる。
【００７２】
（第２の実施の形態）
次に、本発明の第２の実施の形態の端末装置について説明する。ここでは、第２の実施の形態の端末装置が、第１の実施の形態と相違する点を中心に説明する。したがって、ここで特に言及しない限り、本実施の形態の構成および動作は、第１の実施の形態と同様である。
【００７３】
図９は、本実施の形態の端末装置の構成を示すブロック図である。本実施の形態の端末装置２０は、フィンガープリント情報を用いる機能を備えていない。したがって、この端末装置２０は、フィンガープリント情報を保持するためのフィンガープリント情報記憶部４を備えていない。また、本実施の形態の条件判定部２１は、イベントトリガーが発生したＣＳＧセルの受信品質にのみ基づいて、測定結果報告の送信制御を行うときの基準となる所定の条件を満たしているか否かの判定を行う。具体的には、条件判定部２１は、連続してイベントトリガーが発生したＣＳＧセルについて、条件２−１「第２のＣＳＧセルの受信品質が第１のＣＳＧセルの受信品質より高い」を満たしているか否かの判定を行う。
【００７４】
以上のように構成された端末装置２０について、図面を参照してその動作を説明する。
【００７５】
図１０は、端末装置２０の処理の全体の流れを示すフロー図である。図１０に示すように、端末装置２０は、マクロセルの受信品質と周辺のＣＳＧセルの受信品質を測定し（Ｓ１）、受信品質の比較結果に基づいて、ＣＳＧセルへのハンドオーバーのイベントトリガーが発生したか否かの判定を行う（Ｓ２）。
【００７６】
ＣＳＧセルへのイベントトリガーが発生したと判定された場合には、先にイベントトリガーが発生したＣＳＧセルがあるか否かの判定を行い（Ｓ４）、先にイベントトリガーが発生していた場合には、上述の条件２−１を満たしているか否かの判定を行う（Ｓ９）。
【００７７】
そして、先にイベントトリガーが発生していなかった場合には、タイマー設定の処理を行い（Ｓ６）、条件２−１を満たしていると判定された場合には、後にイベントトリガーが発生したＣＳＧセル（ＣＳＧ２）の第２の測定結果報告の送信を優先する制御を行う（Ｓ７）。一方、条件２−１を満たしていないと判定された場合には、後にイベントトリガーが発生したＣＳＧセル（ＣＳＧ２）の第１の測定結果報告の送信を遅らせる制御を行う（Ｓ８）。
【００７８】
このような本発明の第２の実施の形態の端末装置２０によっても、第１の実施の形態と同様の作用効果が奏される。
【００７９】
すなわち、本実施の形態の端末装置２０でも、マクロセルからＣＳＧセルへのハンドオーバーを行うイベントトリガーが連続して発生した場合に、先にイベントトリガーが発生したＣＳＧセル（第１のＣＳＧセル）と後にイベントトリガーが発生したＣＳＧセル（第２のＣＳＧセル）の受信品質に基づいて、測定結果報告の送信頻度を減らすように報告送信制御が行われる。したがって、端末装置２０からマクロセルの基地局に測定結果報告が頻繁に送信されるのを抑えることができ、無線リソースの浪費を抑制することができる。この場合、第２の測定結果報告の送信が頻発されるのが軽減されると、それに伴ってＣＧＩの検出が頻繁に行われることが抑えられる。したがって、ＣＧＩの検出をするために通信の中断が頻発することを抑えることができる。
【００８０】
以上、本発明の実施の形態を例示により説明したが、本発明の範囲はこれらに限定されるものではなく、請求項に記載された範囲内において目的に応じて変更・変形することが可能である。
【００８１】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００８２】
以上のように、本発明にかかる端末装置は、無線リソースの浪費を抑制することが可能であり、通信の中断が頻発することを抑えることができるという効果を有し、携帯電話機や携帯端末装置（ＰＤＡ）等に用いられ、有用である。
【符号の説明】
【００８３】
１  端末装置（第１の実施の形態）
４  フィンガープリント情報記憶部
５  測定部
６  トリガー判定部
７  第１測定結果報告部
８  測定用設定受付部
９  ＣＧＩ検出部
１０  第２測定結果報告部
１１  判定部
１２  タイマー設定部
１３  報告送信制御部
１４  条件判定部
１５  タイマー判定部
２０  端末装置（第２の実施の形態）
２１  条件判定部
【図１】
0005586601.tif 000002
【図２】
0005586601.tif 000003
【図３】
0005586601.tif 000004
【図４】
0005586601.tif 000005
【図５】
0005586601.tif 000006
【図６】
0005586601.tif 000007
【図７】
0005586601.tif 000008
【図８】
0005586601.tif 000009
【図９】
0005586601.tif 000010
【図１０】
0005586601.tif 000011
【図１１】
0005586601.tif 000012
【図１２】
0005586601.tif 000013
【図１３】
0005586601.tif 000014
【図１４】
0005586601.tif 000015
【図１５】
0005586601.tif 000016